【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
レーザ光源から出射されたレーザ光束が、駆動手段により駆動される偏向器によって偏向走査された後、少なくとも一枚以上の走査レンズを透過して、像担持体上に照射する走査光学装置の照射位置調整方法であって、
少なくとも一枚以上の走査レンズのうち前記像担持体に最も近い側にある走査レンズの位置を初期設定位置に調整した後に、前記偏向器を駆動させて前記像担持体上に照射したレーザ光束の照射位置が前記偏向器の駆動時間に応じて変動する変動方向及び変動量を予め測定し、前記変動方向とは逆方向に、前記変動量の漸近値の略半分だけ、前記像担持体上におけるレーザ光束の照射位置がずれるように、前記走査レンズの位置を調整することを特徴とする走査光学装置の照射位置調整方法。
【請求項２】
前記像担持体におけるレーザ光束の照射位置が前記偏向器の駆動時間に応じて変動する変動方向は、該レーザ光束の副走査方向であることを特徴とする請求項１に記載の走査光学装置の照射位置調整方法。
【請求項３】
前記像担持体におけるレーザ光束の照射位置が前記偏向器の駆動時間に応じて変動する変動方向は、該レーザ光束の主走査方向であることを特徴とする請求項１に記載の走査光学装置の照射位置調整方法。
【請求項４】
前記像担持体におけるレーザ光束の照射位置が前記偏向器の駆動時間に応じて変動する変動方向は、レーザ光束の光軸に対し垂直な面内での回転方向であることを特徴とする請求項１に記載の走査光学装置の照射位置調整方法。
【手続補正２】
【補正対象書類名】明細書
【補正対象項目名】発明の名称
【補正方法】変更
【補正の内容】
【発明の名称】走査光学装置の照射位置調整方法
【手続補正３】
【補正対象書類名】明細書
【補正対象項目名】０００１
【補正方法】変更
【補正の内容】
【０００１】
本発明は、レーザビームプリンタやデジタル複写機等の電子写真方式を用いた画像形成装置に搭載される走査光学装置の照射位置調整方法に関するものである。
【手続補正４】
【補正対象書類名】明細書
【補正対象項目名】０００２
【補正方法】変更
【補正の内容】
【０００２】
従来より、レーザビームプリンタ（ＬＢＰ）やデジタル複写機等に用いられる走査光学装置においては、画像信号に応じて光源手段から光変調されて出射した光束を偏向器によって偏向させ、ｆθ特性を有する走査光学素子（結像素子）によって感光性を有する記録媒体（感光ドラム）面上にスポット状に集束させ、その記録媒体面上を光走査して画像記録を行っている。
【手続補正５】
【補正対象書類名】明細書
【補正対象項目名】０００９
【補正方法】変更
【補正の内容】
【０００９】
また、走査光学装置を画像形成装置に組み付ける際には、板金やモールドによって構成された画像形成装置内のフレームに、ビスを用いて固定されるのが一般的である。しかし、そのビスの種類や位置、点数および締め付けトルクによって、走査光学装置の筐体を変形させ、レーザ光束の像担持体ドラムへの照射位置のズレを起こしてしまう。そこで本発明は、連続記録等によるレーザ光束の感光ドラムへの照射位置のズレを抑制できる走査光学装置の照射位置調整方法を提供することを目的とする。
【手続補正６】
【補正対象書類名】明細書
【補正対象項目名】００１０
【補正方法】変更
【補正の内容】
【００１０】
上記課題を解決するために本発明に係る走査光学装置の照射位置調整方法の代表的な構成は、レーザ光源から出射されたレーザ光束が、駆動手段により駆動される偏向器によって偏向走査された後、少なくとも一枚以上の走査レンズを透過して、像担持体上に照射する走査光学装置の照射位置調整方法であって、少なくとも一枚以上の走査レンズのうち前記像担持体に最も近い側にある走査レンズの位置を初期設定位置に調整した後に、前記偏向器を駆動させて前記像担持体上に照射したレーザ光束の照射位置が前記偏向器の駆動時間に応じて変動する変動方向及び変動量を予め測定し、前記変動方向とは逆方向に、前記変動量の漸近値の略半分だけ、前記像担持体上におけるレーザ光束の照射位置がずれるように、前記走査レンズの位置を調整することを特徴とする。
【手続補正７】
【補正対象書類名】明細書
【補正対象項目名】００１２
【補正方法】変更
【補正の内容】
【００１２】
本発明に係る走査光学装置の照射位置調整方法の実施形態について、図を用いて説明する。
【手続補正８】
【補正対象書類名】明細書
【補正対象項目名】００２０
【補正方法】変更
【補正の内容】
【００２０】
（走査光学装置）
図２は走査光学装置の構成図である。図２に示すように、走査光学装置51、52は同一の構成であるので、走査光学装置51を例にとり説明する。走査光学装置51は、レーザ光束を発するレーザ光源である半導体レーザ101ａ、101ｂと、半導体レーザ101ａ、101ｂから発せられたレーザ光束を偏向する偏向器と、該偏向器で偏向された各レーザ光束を感光ドラム１上に走査する1枚目の走査レンズ103ａ、103ｂ、及び、2枚目の走査レンズ105ａ、105ｂと、を備えている。
【手続補正９】
【補正対象書類名】明細書
【補正対象項目名】００２３
【補正方法】変更
【補正の内容】
【００２３】
図３は２枚目の走査レンズ105ａ、105ｂをレーザ光束Ｂ１、Ｂ２の出射される側から見た図である。図３に示すように、走査レンズのうちで感光ドラム１に最も近い側にある2枚目の走査レンズ105ａ、105ｂの位置を調整することによって、感光ドラム１に対するレーザ光束の位置を、特定の方向に特定の値だけずらした位置に調整する。
【手続補正１０】
【補正対象書類名】明細書
【補正対象項目名】００３２
【補正方法】変更
【補正の内容】
【００３２】
（調整値）
ここで、走査レンズ105ａ、105ｂの調整値について、図７〜図１２を用いて説明する。まず、筐体（光学箱106）の内部に配置された偏向器の駆動によって、ポリゴンミラー102を回転駆動させる駆動手段としての回転部（コイル）と駆動回路（駆動ＩＣ）がそれぞれ発熱し、筐体や光学素子に熱が伝達してしまう。また半導体レーザ101ａ、101ｂの駆動によっても同じくレーザの発熱や駆動回路の発熱が筐体やレーザホルダー、光学素子等に熱が伝達してしまう。その結果、筐体や光学素子の熱膨張が発生し、レーザ光束の副走査方向（矢印Ｙ方向）、主走査方向（矢印Ｘ方向）、レーザ光束の光軸に対し垂直な面内での回転方向（Ｘ−Ｙ平面内における回転方向（矢印θ方向））に照射位置ズレが発生してしまうことがある。
【手続補正１１】
【補正対象書類名】明細書
【補正対象項目名】００３６
【補正方法】変更
【補正の内容】
【００３６】
そこで、本実施形態においては、図７（ｂ）、図７（ｃ）に示すように、あらかじめ漸近値Ｒａの半分の正負逆である−３０μｍの位置にレーザ光束がくるように、走査レンズ105ａを、調整しておく。これによって、図８（ｂ）に示すように、記録開始から連続記録終盤にかけて、照射位置の副走査方向の変動を絶対値で３０μｍ以下に抑えることができる。
【手続補正１２】
【補正対象書類名】図面
【補正対象項目名】図２
【補正方法】変更
【補正の内容】
【図２】
2006178281.tif 000001
【手続補正１３】
【補正対象書類名】図面
【補正対象項目名】図３
【補正方法】変更
【補正の内容】
【図３】
2006178281.tif 000002
【手続補正１４】
【補正対象書類名】図面
【補正対象項目名】図４
【補正方法】変更
【補正の内容】
【図４】
2006178281.tif 000003
【手続補正１５】
【補正対象書類名】図面
【補正対象項目名】図５
【補正方法】変更
【補正の内容】
【図５】
2006178281.tif 000004
【手続補正１６】
【補正対象書類名】図面
【補正対象項目名】図６
【補正方法】変更
【補正の内容】
【図６】
2006178281.tif 000005
【手続補正１７】
【補正対象書類名】図面
【補正対象項目名】図７
【補正方法】変更
【補正の内容】
【図７】
2006178281.tif 000006
【手続補正１８】
【補正対象書類名】図面
【補正対象項目名】図８
【補正方法】変更
【補正の内容】
【図８】
2006178281.tif 000007
【手続補正１９】
【補正対象書類名】図面
【補正対象項目名】図９
【補正方法】変更
【補正の内容】
【図９】
2006178281.tif 000008
【手続補正２０】
【補正対象書類名】図面
【補正対象項目名】図１０
【補正方法】変更
【補正の内容】
【図１０】
2006178281.tif 000009
【手続補正２１】
【補正対象書類名】図面
【補正対象項目名】図１１
【補正方法】変更
【補正の内容】
【図１１】
2006178281.tif 000010
【手続補正２２】
【補正対象書類名】図面
【補正対象項目名】図１２
【補正方法】変更
【補正の内容】
【図１２】
2006178281.tif 000011
【手続補正２３】
【補正対象書類名】図面
【補正対象項目名】図１３
【補正方法】変更
【補正の内容】
【図１３】
2006178281.tif 000012